(57)【特許請求の範囲】
【請求項１】
情報を記録するディスク状の記録媒体を回転させるモータと、前記モータを駆動するモータ駆動回路と、前記記録媒体の所定の位置に移動可能なヘッドと、前記ヘッドを駆動するヘッド駆動回路と、前記モータ駆動回路及び前記ヘッド駆動回路を制御するマイクロプロセッサと、を備え、
前記ヘッドのシーク移動速度が高速度であって高速アクセスを実現できるクイックモードと、前記ヘッドのシーク移動速度が低速度であって低騒音を実現できるサイレントモードのいずれかを上位装置からの命令で選択でき、
前記上位装置の電源オンに付随して電源が投入され、前記クイックモードと前記サイレントモードの動作モードの内で前記記録媒体面上に記憶された前回終了時の動作モードで動作状態となり、
クイックモードが選択されたときは、前記ヘッドの移動速度の最大速度が大となるように前記ヘッド駆動回路に駆動電流を与え、サイレントモードが選択されたときは、前記ヘッドの移動速度の最大速度が前記クイックモードの最大速度に比べて小となるように前記ヘッド駆動回路に駆動電流を与えるディスク装置における動作モードの変更方法であって、
まず、前記上位装置の電源オンに付随して前記ディスク装置の電源が投入される第１のステップと、
次に、前記記録媒体面上に記憶された前回終了時の動作モードをディスク装置のＲＡＭに格納し、前記ＲＡＭに格納された情報に基づき、前記クイックモード又は前記サイレントモードで安定動作状態に達する第２のステップと、
続いて、ディスク装置の動作モードを変更する場合、前記上位装置からの操作により、ディスク装置のＲＯＭに格納されている動作モードのロードを行い、前記上位装置のディスプレイ上に前記クイックモード又は前記サイレントモードを表示する第３のステップと、
更に、前記上位装置からの操作により、前記第３のステップで表示された動作モードのうち、前記第２のステップで安定動作状態に達しているモードでない動作モードを選択する第４のステップと、を有する
ことを特徴とするディスク装置における動作モードの変更方法。
【請求項２】
情報を記録するディスク状の記録媒体を回転させるモータと、前記モータを駆動するモータ駆動回路と、前記記録媒体の所定の位置に移動可能なヘッドと、前記ヘッドを駆動するヘッド駆動回路と、前記モータ駆動回路及び前記ヘッド駆動回路を制御するマイクロプロセッサと、を備え、
前記ヘッドのシーク移動速度が高速度であって高速アクセスを実現できるクイックモードと、前記ヘッドのシーク移動速度が低速度であって低騒音を実現できるサイレントモードのいずれかを上位装置からの命令で選択でき、
前記上位装置の電源オンに付随して電源が投入され、前記クイックモードと前記サイレントモードの動作モードの内で前記記録媒体面上に記憶された前回終了時の動作モードで動作状態となり、
クイックモードが選択されたときは、前記ヘッドの移動速度の最大速度が大となるように前記ヘッド駆動回路に駆動電流を与え、サイレントモードが選択されたときは、前記ヘッドの移動速度の最大速度が前記クイックモードの最大速度に比べて小となるように前記ヘッド駆動回路に駆動電流を与え、
前記クイックモードと前記サイレントモードにそれぞれ対応して前記記録媒体の回転用モータの回転速度を切り換えるディスク装置における動作モードの変更方法であって、
まず、前記上位装置の電源オンに付随して前記ディスク装置の電源が投入される第１のステップと、
次に、前記記録媒体面上に記憶された前回終了時の動作モードをディスク装置のＲＡＭに格納し、前記ＲＡＭに格納された情報に基づき、前記クイックモード又は前記サイレントモードで安定動作状態に達する第２のステップと、
続いて、ディスク装置の動作モードを変更する場合、前記上位装置からの操作により、ディスク装置のＲＯＭに格納されている動作モードのロードを行い、前記上位装置のディスプレイ上に前記クイックモード又は前記サイレントモードを表示する第３のステップと、
更に、前記上位装置からの操作により、前記第３のステップで表示された動作モードのうち、前記第２のステップで安定動作状態に達しているモードでない動作モードを選択する第４のステップと、を有する
ことを特徴とするディスク装置における動作モードの変更方法。
【請求項３】
請求項１又は２に記載のディスク装置における動作モードの変更方法において、
前記クイックモードと前記サイレントモードに加えてノーマルモードを設け、  前記ノーマルモードは、前記クイックモードよりもシーク移動速度が低速度であって低速アクセスであり、前記サイレントモードよりもシーク移動速度が高速度であるモードであり、
前記第２のステップでは、前記クイックモード、前記サイレントモード又は前記ノーマルモードで安定動作状態に達し、
前記第３のステップでは、前記クイックモード、前記サイレントモード又は前記ノーマルモードが表示される
ことを特徴とするディスク装置における動作モードの変更方法。
【発明の詳細な説明】
【０００１】
【発明の属する技術分野】
本発明は、ディスク装置に係り、特に、ディスク記録媒体を高速回転しヘッドを高速移動してシーク及び記録再生（読み書き）を行なう高速転送・高速アクセスモードと、ディスク記録媒体を低速回転しヘッドを低速移動してシーク及び記録再生（読み書き）を行なう低消費電力・低騒音モードとを備えたディスク装置に関する。
【０００２】
【従来の技術】
従来、例えば、引用文献１に記載されているように、コンパクトディスク（ＣＤ）あるいはデジタルオーディオテープレコーダ（ＤＡＴ）において、制御信号ＴＯＣのような音声信号以外の信号の読み取りに対して、通常の音声信号の読み取り速度よりも早い第２の速度を自動的に設定し、再生装置の操作性を高めるようにしたものが知られている。
【０００３】
また、引用文献２に記載されているディスク装置の概略構成を図８に示す。同図で、磁気ディスク装置１は、磁気ディスク２と、ディスク駆動モータ３と、磁気ヘッド５と、ディスク回路部１３と、待機制御手段１４とを有し、この待機制御手段１４により、以下の動作を行なう。すなわち、待機制御手段１４は、通常の動作モード（書き込み／読み取りモード）と全電源オフの停止モードのほかに、一定時間ファイルアクセス要求（書き込み／読み取り要求）がないときに、Ｉ／Ｆ，検出アンプ，ヘッド制御回路等の回路部１３の電源をオフまたは待機状態としディスクドライブモータ３は通常回転速度とする第１の待機モードと、第１の待機モードが更にある一定時間以上続くときに、Ｉ／Ｆ，検出アンプ，ヘッド制御回路等の回路部１３の電源をオフまたは待機状態としディスクドライブモータ３は低速回転とする第２の待機モードとを設定するもので、これにより消費電力の低減を図っている。
【０００４】
また、例えば、引用文献３に記載されているように、磁気ディスク装置において、予め、次の読み書き開始時刻がわかっている場合、シーク開始から読み書き開始までの待ち時間を検出し、この待ち時間と予めヘッドの移動距離毎に求めておいた平均シーク時間との差がほぼ零になるようにヘッドのシーク速度（移動速度）を制御することにより、ヘッドを必要以上に加減速することを避け、シーク時の省電力化を図ったものが知られている。
【０００５】
【引用文献１】
特開平２−１５６４７０号公報
【０００６】
【引用文献２】
特開平４−２０５９６３号公報
【０００７】
【引用文献３】
特開平６３−８７６６３号公報
【０００８】
【発明が解決しようとする課題】
上記引用文献１の従来技術は、ＣＤまたはＤＡＴにおいて、利用者が必要とする音声信号は通常の一種類のみの速度で再生し、制御信号のような利用者が利用しない信号を通常の速度よりも高速で再生するものである。利用者が利用する任意のデータを利用者の求めに応じて高速、標準速度、低速度のような色々な媒体速度で記録／再生することや消費電力の省力化については、なにも考慮されていない。
【０００９】
また、上記引用文献２の従来技術は、読み書き（シークを含む）を行なっていない待機モード（第１及び第２の待機モード）でヘッド制御回路の電源をオフとし、そのうちの第２待機モードで更にディスクドライブモータの回転速度を通常の速度よりも低くするものであって、読み書き速度は通常速度（一種類）のみであり、任意のデータの読み書き速度を利用者の要求に応じて色々設定することについては、なにも考慮されていない。
【００１０】
しかし、第１に、一般にディスク装置おいて、読み書きを行なっていない状態の生じる頻度は必ずしもさほど高くなく、また、一般にこの読み書きを行なっていない状態は、電源が投入されていない非動作状態（消費電力０Ｗ）に次いで消費電力が少ない状態であるので（消費電力の最も多いのはモータ起動時、次に多いのはファイルアクセス時で、いずれも、モータを回転したまま読み書きを行なっていないときよりも消費電力が大きい）、文献２のように、この読み書きを行なっていない状態で待機モード（第２待機モード）を設定してディスクモータ速度を低くしても、全体としてあまり消費電力の低減効果は得られない。むしろ、読み書き状態がこの第２待機モードで分断されると、この待機モードから書き込み読み出し動作に移る際のディスクモータの立ち上げを行なわせる必要が生じるため、一時的に大きな電力が消費される。
【００１１】
第２に、引用文献２では、この待機モードから書き込み読み取り動作に移る際に、モータの立ち上げ時間を要するため、書き込み読み取りの開始が遅れ、動作速度が遅れてしまうという問題が生じる。
【００１２】
また、引用文献３の従来技術は、予め分かっている読み書き開始時刻に合わせてその直前でシークが終了するようにシーク速度を調整するものである。利用者の求めに応じて、高速処理のできる高速シークと低騒音低電力で行なわれる低速シークとを使い分ける考えはなにもない。また、この文献３でも、文献１及び文献２と同様に、任意のデータを、利用者の求めに応じて、高速、標準速度、低速のような色々な読み書き速度で読み書きすることについては、なにも考慮されていない。
【００１３】
ところで、磁気ディスク装置や光ディスク装置において、利用者の性能に対する要求は下記のように、大きく２つのタイプに分類することができる。
【００１４】
▲１▼  高速転送・高速アクセス
▲２▼  低消費電力・低騒音
▲１▼の性能を満たすのにはディスクの読み書き速度すなわち回転速度とヘッドのシーク速度を高速化する必要があり、▲２▼の性能を満たすのにはディスクの読み書き速度（回転速度）とヘッドのシーク速度を低くする必要がある。この２つの性能は、互いに相反するものであり、従来同時に２つの性能を満足するディスク装置は存在せず、一種類のデータ読み書き速度とシーク速度とを有する機種があるだけである。このため、利用者は、上記２つの性能を個々に満たす装置を各々最低１機種ずつ用意しておいて、使用の都度その使用条件（騒音レベルや最大電力の規制下で使用するか、転送・アクセス速度を重視するかなど）に適した性能を有する磁気ディスク装置を選択する形を採らざるを得ない。
【００１５】
その場合、下記のような問題が生ずることになる。
【００１６】
▲１▼  目的となる使用条件が明確になっていない場合でも、どちらかの性能の磁気ディスク装置を選択しなければならない。
【００１７】
▲２▼  使用条件の変化で使用途中において、磁気ディスク装置に対してもう一方の性能に切り替えたいと思った時に再購入するか入れ替える以外に方法がない。
▲３▼  使用方法によって適時に性能を切り替えることができない。
【００１８】
特に、このような問題は、例えばノートブック型パソコンのような、商用交流電源及び内蔵の電池電源を共用するパソコン付属のディスク装置で発生する。この種のパソコンでは、商用電源を使用する場合、電力を十分採れるので、ファイルアクセスする場合にヘッドシーク速度やディスク読み書き速度を十分高くすることが望ましく、一方、内蔵電池電源を使用する場合、システムの連続使用時間を長くするため、ヘッドシーク速度やディスク読み書き速度を低くして低消費電力で使用することが望ましい。
【００１９】
従って、本発明の目的は、上記従来技術の問題点を解消し、高速でシーク及び
データ読み書きを行なうクイックモード（高速転送・高速アクセスモード）と、
低速・低消費電力・低騒音でシーク及びデータ読み書きを行なうサイレントモー
ド（低速・低消費電力・低騒音モード）との、少なくとも２つのモードを利用者
の求めに応じて任意に選択することのできるディスク装置における動作モードの変更方法を提供することにある。
【００２０】
本発明の他の目的は、商用電源及び内蔵の電池電源が共用されるパソコン付属
のディスク装置において、商用電源が使用される場合は上記クイックモードが選
択され、内蔵の電池電源が使用される場合は上記サイレントモードが選択される
ように切り換え機能を有するディスク装置における動作モードの変更方法を提供することにある。
【００２１】
【課題を解決するための手段】
上記目的を達成するために、本発明は、以下のように構成する。
【００２２】
（１）ディスク状の記録媒体を回転すると共にヘッドを記録媒体の目標位置に向けて移動し、前記記録媒体にデータを記録しまたはこれよりデータを再生するディスク装置において、ヘッドのシーク移動速度を２段階以上に切り換えるヘッド移動速度モード切り換え手段と、記録媒体の記録または再生時の回転速度を２段階以上に切り換える媒体回転速度モード切り換え手段とを備えたものである。
【００２３】
（２）上記（１）で、ヘッドのシーク移動速度の切り換え及び前記記録媒体の回転速度の切り換えを、上位装置からの命令により行なうように構成した。
【００２４】
（３）上記（１）または（２）で、商用電源と内蔵の電池電源とを有し、前記ヘッド移動速度モード切り換え手段及び媒体回転速度モード切り換え手段は、前記商用電源が使用されるときヘッドのシーク移動速度及び記録媒体の回転速度を共に高速モードに切り換え、前記電池電源が使用されるときヘッドのシーク移動速度及び記録媒体の回転速度を共に低速モードに切り換えるように構成した。
【００２５】
上記構成に基づく作用を説明する。
【００２６】
上記（１）の構成によれば、ヘッドのシーク移動速度及び記録媒体（ディスク）の回転速度をそれぞれ２段階以上切り換えられるようにしたので、利用者が、１台のディスク装置で、信号の書き込み読み出しを高速に行いたいときは、クイックモード（ヘッドとディスクが共に最高速度）を選択した状態で書き込み読み出しを行なえばよいし、低騒音で消費電力を低減したいときには、サイレントモード（ヘッドとディスクが共に最低速度）を選択した状態で書き込み読み出しを行なえばよい。このように動作モードが選択できるので、▲１▼予め使用条件が未確定でも、あとで使用条件を決定してそれに合った動作モードを選択することができ、▲２▼使用条件に変更が生じても、新たなディスク装置を購入する必要がなく、また、▲３▼利用者が使用条件に合わせて、使用途中でも動作モードを変更することができる。
【００２７】
速度モード切り換え機構としては、利用者が随時自由に各モードを選択できるようにするため、上記（２）の構成のように、上位装置からディスク装置内のマイクロプロセッサへの命令によりモード切り換えを行なうようにすれば、利用者はキー操作等により簡単に所要モードを選択できる。なお、これに代えて、ディスク装置のヘッド駆動回路及びディスクモータ駆動回路上に設けたジャパンコネクタのようなハードウェアの切り換えスイッチで各モードの切り換えを行なうこともできる。
【００２８】
上記（３）の構成によれば、パソコン及びディスク装置の電源として、商用電源が使用される場合は高速読み書き及び高速シークのクイックモードが選択され、高速高性能のデータ転送・アクセスができ、内蔵の電池電源が使用される場合は低速読み書き及び低速シークのサイレントモードが選択され、低騒音低消費電力で長時間連続動作可能なデータ転送・アクセスができる。
【００２９】
【発明の実施の形態】
以下、本発明の実施形態を図面により説明する。
【００３０】
図１は、本発明の第１実施形態の磁気ディスク装置の構成図である。
【００３１】
図１で、ディスク装置１は、記録媒体としての磁気ディスク２と、このディスク２を回転支持するモータ３と、ディスク２に信号を書き込み読み出しを行なうヘッド５と、ヘッド駆動機構６と、モータ３を駆動するモータ駆動回路４と、ヘッド駆動機構６に接続されたヘッド駆動回路７とを備えている。両駆動回路４、７はマイクロプロセッサ８に接続されている。
【００３２】
マイクロプロセッサ８にはスイッチ９〜１２が少なくとも１個、図１の場合には４個のスイッチが接続されている。これらのスイッチの組み合わせにより、後述するように色々な動作モードを設定できる。
【００３３】
マイクロプロセッサ８内には２つの動作モードが設定されていて、１つはモータ回転速度が７２００ｒｐｍでヘッドのシーク移動時間が８ｍｓとなるようなクイックモード、もう１つはモータ回転速度が５４００ｒｐｍ（起動時の電流値はクイックモードと同じ）、ヘッドのシーク移動時間が１０ｍｓ（加減速度はクイックモードと同じ）となるようなサイレントモードである。クイックモードはディスク装置に対して、高速転送・高速アクセスを実現できるモードであり、一方サイレントモードは、低消費電力・低騒音を実現できるモードである。
【００３４】
この２つのモードは、マイクロプロセッサ８に接続されているスイッチ９〜１２の設定によって選択することができるようになっている。例えば、スイッチ９をｏｆｆの状態に設定すると動作モードはクイックモードとされ、ｏｎの状態に設定するとサイレントモードで動作するといった具合である。図１には４つのスイッチ９〜１２が接続されているので、これらのスイッチの組み合わせにより、２4通りまでの動作モード設定が可能である。図１の場合、動作モードの設定は例えばジャンパスイッチのようなディスク装置上に設けたスイッチ９〜１２で行われるので、上位装置（システム）からの命令では設定することはできない。
【００３５】
図２は、本発明の第２実施形態のディスク装置の概略構成図であり、本実施形態は、上位装置（システム）からの命令で動作モードの切り替えを行なう駆動回路を備えた場合である。
【００３６】
図２で、ディスク装置１は、記録媒体としてのディスク２と、このディスク２を回転支持するモータ３と、ディスク２に信号を書き込み読み出しを行なうヘッド５と、ヘッド駆動機構６と、モータ３を駆動するモータ駆動回路４と、ヘッド駆動機構６に接続されたヘッド駆動回路７とを備え、また、両駆動回路４、７はマイクロプロセッサ８に接続されている。
【００３７】
マイクロプロセッサ８内には、２つの動作モード、クイックモードとサイレントモードが設定されていて、さらに上位装置（システム）からの命令でこれら２つの動作モードを切り換えるスイッチ回路１５が内蔵されている。マイクロプロセッサ８内のスイッチ回路１５は、図１に示したスイッチ回路９〜１２と等価であって、その設定状態で色々な動作モードが決定される。
【００３８】
図３は、本発明の第３実施形態のディスク装置の概略構成図であり、本実施形態では、マイクロプロセッサ８内に電流制限回路１６を内蔵した場合を示している。
図３で、ディスク装置１は、記録媒体としてのディスク２と、このディスク２を回転支持するモータ３と、ディスク２に信号を書き込み読み出しを行なうヘッド５と、ヘッド駆動機構６と、モータ３を駆動するモータ駆動回路４と、ヘッド駆動機構６に接続されたヘッド駆動回路７とを備え、両駆動回路４、７はマイクロプロセッサ８に接続されている。
【００３９】
マイクロプロセッサ８内には、２つの動作モード、クイックモードとサイレントモードが設定されていて、さらに上位装置（システム）からの命令でこれら２つの動作モードを切り換えるスイッチ回路１５と、両駆動回路４、７に流れる最大電流値を個別に決定している電流制限回路１６とが内蔵されている。
【００４０】
電流制限回路１６で決定される最大電流値は、スイッチ回路１５の設定により選択された動作モードと連携していて、例えば、クイックモードが選択されている場合には最大電流値は制限なしで、モータ駆動回路４が２Ａ、ヘッド駆動回路７が０．９Ａ（各々電圧と抵抗値で決定される値）とされ、サイレントモードが選択されている場合には最大電流値は、モータ駆動回路４が１．５Ａ、ヘッド駆動回路７が０．６Ａといったように決定されるものである。
【００４１】
図４は、本発明の第４実施形態のディスク装置の概略構成図であり、本実施形態では、各駆動回路４、７内に電流制限回路１７、１８を内蔵した場合を示している。
【００４２】
図４で、ディスク装置１は、記録媒体としてのディスク２と、このディスク２を回転支持するモータ３と、ディスク２に信号を書き込み読み出しを行なうヘッド５と、ヘッド駆動機構６と、モータ３を駆動するモータ駆動回路４と、ヘッド駆動機構６に接続されたヘッド駆動回路７とを備え、また、両駆動回路４、７はマイクロプロセッサ８に接続されている。
【００４３】
マイクロプロセッサ８内には、２つの動作モードの、クイックモードとサイレントモードが設定されていて、さらに上位装置（システム）からの命令でこれら２つの動作モードを切り換えるスイッチ回路１５が内蔵されている。
【００４４】
電流制限回路１７、１８で決定される最大電流値は、スイッチ回路１５の設定により選択された動作モードと連携していて、例えば、クイックモードが選択されている場合には最大電流値は制限なしの駆動回路４及び７でモータ３及びヘッド駆動機構６が動作し、各駆動回路４、７に流れる最大電流値は、モータ駆動回路４が２Ａ、ヘッド駆動回路７が０．９Ａ（各々電圧と抵抗値で決定される値）とされ、サイレントモードが選択されている場合には最大電流値は、モータ駆動回路４が１．５Ａ、ヘッド駆動回路７が０．６Ａとなる駆動回路でモータ３及びヘッド駆動機構６が動作するように決定されるものである。従って、見掛け上モータ駆動回路及びヘッド駆動回路が各々２通り設定されているが、動作内容は図３の駆動回路と等価である。
【００４５】
図５は、以上の実施形態におけるディスクモータ起動時（定常回転速度に達するまで）の回転速度の変化（同図（ａ））と電流値の変化（同図（ｂ））を示す。
実線は、クイックモードにおける時間経過に伴うモータ回転速度ｖと電流値Ｉの変化を示し、図１、２、３、４のクイックモードに対応する。一点鎖線は、電流制限なしのサイレントモードにおける時間経過に伴うモータ回転速度と電流値の変化を示し、図１、２のサイレントモードに対応する。破線は、電流制限ありのサイレントモードにおける時間経過に伴うモータ回転速度と電流値の変化を示し、図３、４のサイレントモードに対応する。なお、図５ではモータ起動時の動作を示したが、モータを停止するときにはその逆の動作をさせる。
【００４６】
図６は、以上の実施形態におけるヘッド移動時の移動速度の変化（同図（ａ））と電流値の変化（同図（ｂ））を示す。
【００４７】
実線は、クイックモードにおける時間経過に伴うヘッド移動速度ｖと電流値Ｉの変化を示し、図１、２、３、４のクイックモードに対応する。一点鎖線は、加減速度はクイックモードと同じで最高速度をｖ1に制限したサイレントモードにおける時間経過に伴うヘッド移動速度と電流値の変化を示し、図１、２のサイレントモードに対応する。破線は、最高速度は制限せず加減速時の電流値をＩ1，−Ｉ1に制限したサイレントモードにおける時間経過に伴う移動速度と電流値の変化を示し、図３、４のサイレントモードに対応する。
【００４８】
このほかに、最高速度及び加減速時の電流値を共に制限したサイレントモードも考えることができる。
【００４９】
また、上記実施形態では、クイックモードとサイレントモードの２種類の動作モードとしたが、ノーマル（標準）モードと、これよりも高速アクセスできるクイックモードと、ノーマルモードよりも低速、低消費電力のサイレントモードの３種類もしくはそれ以上の動作モードを切り換え選択するように構成することもできる。
【００５０】
以上の実施形態では、一旦システムがあるモードで立ち上がると、途中でモード変更を行なわない限りディスクモータ速度は一定であるので、個々のアクセス毎にモータ回転速度を立ち上げる動作は不要となり、立ち上げに伴う読み書き動作の遅れは発生しない。
【００５１】
図７は、本発明におけるディスク装置及び上位装置の動作関係を説明するフロー図である。
【００５２】
まず、ディスク装置を備えた上位装置本体の電源が投入され（７０１）、それと付随してディスク装置の電源が投入される（７０２）。
【００５３】
電源が投入された直後は、ＲＯＭに格納されている情報によって動作モードが設定され、安定状態に達し（７０３）、その直後に、ディスク面上に記憶された前回終了時の動作モードの情報をロードし、その情報をＲＡＭ内に格納する（７０４）。そして、ＲＡＭ内に格納された情報に基く動作モードで安定動作状態に達する（７０５）。このとき、予めＲＯＭにはクイックモードとサイレントモードの中間的な性能を設定できるノーマルモードが設定されている。
【００５４】
ディスク装置の動作モードを変更する場合には（７０６）、上位装置の使用者の操作により、まず、上位装置からディスク装置のＲＯＭ内に格納されている動作モードのリストのロードを行なう（７０７）。ロードされた動作モードのリストは、上位装置のディスプレイ上に特に前回設定されていた動作モードは強調されて表示され、使用者は１つの動作モードを選択する（７０８）。それに伴い、ＲＡＭ内に格納されている動作モードの情報は、使用者によって選択された動作モードの情報に書き替えられ、これにより動作モードが確定される（７０９）。上記のように動作モードが使用者によって変更された場合、再度安定動作状態になるのを待つ。
【００５５】
この後、設定された動作モードで上位装置からディスク装置へのファイルアクセスが開始され、所要のデータ転送が行なわれる。
【００５６】
又、上位装置の終了処理が開始されると（７１０）、ディスク装置のＲＡＭ内に格納されていた最終の動作モードの情報は、ディスク面の特定の場所に記録され（７１１）、次回上位装置が再起動したときに使用される“前回の動作モード”となる。
【００５７】
以上のすべての処理が終了すると、上位装置及びディスク装置の電源はオフされる（７１２）。
【００５８】
次に、第５実施形態として、本願発明のディスク装置を、商用交流電源及び内蔵の電池電源の共用されるコンピュータ例えばノートブック型のパーソナルコンピュータ（パソコン）に適用した実施形態を説明する。
【００５９】
一般に、ノートブックタイプのパーソナルコンピュータ２０は、その電源形態として、携帯用として使用する場合は内蔵の電池を用い、事務所などで使用する場合は商用１００ＶＡＣを用いている。携帯用として内蔵の電池を使用する場合は、システムの消費電力が連続使用時間に直接影響し、連続使用時間が長い方がよいといえるので、消費電力が少ないディスク装置は性能がよいといえる。一方、１００ＶＡＣを電源として使用する場合は、停電でもしない限り、消費電力を特別気にする必要はないので、ファイルアクセスする際に高速に情報の書き込み／読み出しを行なうことができるディスク装置の方が性能がよいといえる。従って、ノートブックタイプのパーソナルコンピュータにとって、携帯用として使用する場合は消費電力が少ないが、必要に応じて高速にファイルアクセスできるディスク装置は、使い勝手がよいといえる。
【００６０】
しかし、従来のディスク装置は、どちらか一方の性能を持つものか、あるいは、どちらとも言えない中間的な性能を持つものしかなかった。これは、消費電力が少ないことと高速にファイルアクセスすることを同時に達成することが技術的に困難であるためである。
【００６１】
そこで、本実施形態では、上記各実施形態の複数の動作モードを具備したディスク装置１を、ノートブックタイプのパーソナルコンピュータ（パソコン）に適用し、パソコン及び付属ディスク装置の電源として商用ＡＣ電源を使用するときは高速アクセスのクイックモードが自動的に選択され、内蔵電池電源を使用するときは低消費電力のサイレントモードが自動的に選択されるようにする。これらの動作モードは、上位装置（ノートブックタイプのパーソナルコンピュータ）からの命令で随時切り換えられるので、常に、上位装置にとって良好な性能を提供することができる。
【００６２】
上記装置（パソコン）からの具体的なモード切り換えの命令方法として、下記のような工夫をすることにより、いちいち使用者がキーボードをたたいて命令を入力する必要がない。
【００６３】
すなわち、まず上位装置の受電部に、外部電源からの供給を受けているかどうかを感知する機構として、図示しない外部電源電圧を測定する手段を設ける。通常ノートブック型パソコンでは電池から商用電源への逆流を防止するダイオードなどが設けてあり、外部商用電源が切れると自動的に内部電池に切り換わるようになっている。そこで、上記感知機構によって、外部電源から受電していない、つまり内蔵電池によって上位装置が使用されていると感知された場合には、ディスク装置に対して低消費電力を目的とする動作モード（サイレントモード）で動作するように命令する。また、感知機構が上位装置が外部電源から供給を受けていると感知した場合には、ディスク装置に対して高速でファイルアクセスすることを目的とする動作モード（クイックモード）で動作するように命令する。上位装置からディスク装置へ命令することは、見方を変えると、ディスク装置が上位装置の状態を感知することと同等である。以上により、ノートブックタイプのパーソナルコンピュータの使用形態とディスク装置の動作モードの関係は、携帯用として使用する場合には低消費電力の動作モードを自動的に設定し、事務所で使用する場合には高速ファイルアクセスを行なう動作モードを自動的に設定する関係とされるものである。
【００６４】
本発明に用いる磁気ディスク装置としては、負圧スライダ構造を有する磁気ヘッドを有するものを使用できる。この磁気ヘッドは、磁気ディスクが静止しているときはディスク面に接触しているが、ディスクの回転速度が所定値以上になると、その回転数の如何に拘らず（上記のいずれの動作モードでも）一定の浮上量を保つものである。
【００６５】
以上の実施形態では、磁気ディスク装置について説明したが、本発明は光ディスク装置や光磁気ディスク装置にも同様に適用できる。
【００６６】
【発明の効果】
以上詳しく説明したように、本発明によれば、１台のディスク装置で、ヘッドのシーク速度及びディスク記録媒体の回転速度をそれぞれ２段階以上に切り換えられるようにしたので、低騒音・低消費電力のファイルアクセス、データ転送を望むときは低速のサイレントモードを選択し、高速のファイルアクセス、データ転送を望むときはクイックモードを選択するなど、利用者の求めに応じた動作モードを任意に選択できるという効果が得られる。また、従来の待機モード（個々のアクセス読み書きの間で、ディスクモータの回転速度を読み書き時の回転速度よりも低下する待機モード）は採らないので、次々のデータアクセス時にモータ回転速度をアップする（立ち上げる）動作は不要であり、立ち上げに伴う読み書き動作の遅れも発生しないという効果も得られる。
【００６７】
また、これらの動作モードの選択切り換えを上位装置から行なうようにすれば、利用者は容易に所要モードを選択できるという効果が得られる。
【００６８】
更に、ノートブック型パソコンのような商用電源と内蔵電池電源を共用するパソコンに適用した場合、商用電源を使用するときは高速読み書き及び高速シークのクイックモードが選択されるので、高速高性能のデータ転送・アクセスができ、電池電源が使用されるときは低速読み書き及び低速シークのサイレントモードが選択されるので、低騒音低消費電力で長時間連続動作できる等、使用条件に応じた使い分けができるという効果が得られる。
【図面の簡単な説明】
【図１】本発明の実施形態の駆動回路を備えたディスク装置の構成図である。
【図２】本発明の実施形態の上位装置からの命令でモード切り換えを行なう駆動回路を備えたディスク装置の構成図である。
【図３】本発明の実施形態のマイクロプロセッサ内に電流制限回路を有する駆動回路を備えたディスク装置の構成図である。
【図４】本発明の実施形態の各駆動回路内に電流制限回路を有する駆動回路を備えたディスク装置の構成図である。
【図５】モータ起動時の回転速度変化と電流値変化を示す図である。
【図６】ヘッド移動速度変化と電流値変化を示す図である。
【図７】本発明の実施形態のディスク装置と上位装置の関連動作を説明するフロー図である。
【図８】従来の駆動回路を備えたディスク装置の構成図である。
【図９】本発明のディスク装置を適用したノートブック型のパーソナルコンピュータの概略斜視図である。
【符号の説明】
１  ディスク装置
２  ディスク（媒体）
３  モータ
４  モータ駆動回路
５  ヘッド
６  ヘッド駆動機構
７  ヘッド駆動回路
８  マイクロプロセッサ
９〜１２  スイッチ
１３  ディスク回路部
１４  待機制御手段
１５  スイッチ回路
１６〜１８  電流制限回路
２０  ノートブック型パーソナルコンピュータ
【図１】
0003771538.tif 000002
【図２】
0003771538.tif 000003
【図３】
0003771538.tif 000004
【図４】
0003771538.tif 000005
【図５】
0003771538.tif 000006
【図６】
0003771538.tif 000007
【図７】
0003771538.tif 000008
【図８】
0003771538.tif 000009
【図９】
0003771538.tif 000010